(57)【要約】【課題】新規に製造する際の費用を低減することができる左右風向調整装置、および該左右風向調整装置を有する空気調和機の室内機を得る。【解決手段】左右風向調整装置１０００は、空気調和機の室内機３０００における風路６の吹出口７に近い範囲の一部を形成する長方形の板材であって、取付用凹部１２０が短辺側の端部に近い位置に形成されている装置基板１００と、取付用凹部１２０に取り付けられ、取付用凹部１２０に挿入される取付用ボス部２２０と、取付用ボス部２２０に一体的に形成された板状のフラップ２１０とを具備する回動しない左右風向板２００と、装置基板１００に左右風向板２００を固定するネジ３００とを有する。【選択図】図１
2014020742.tif 000002
【特許請求の範囲】
【請求項１】
空気調和機の室内機における風路の一部を形成する長方形の板材であって、短辺側の端部に近い位置に形成された取付用凹部を具備する装置基板と、
前記取付用凹部に挿入される取付用ボス部および前記取付用ボス部に一体的に形成された板状のフラップを具備する左右風向板と、
を有し、前記取付用凹部に前記取付用ボス部が取り付けられていることを特徴とする左右風向調整装置。
【請求項２】
前記取付用ボス部が、前記取付用凹部に回転不能および抜け出し不能に挿入されていることを特徴とする請求項１記載の左右風向調整装置。
【請求項３】
前記取付用ボス部は、円柱状のボス第１部分と、該ボス第１部分の側面に一体的に突設されたボス第２部分とを具備し、
前記取付用凹部は、前記ボス第１部分が侵入する取付用円部分と、前記ボス第２部分が侵入する取付用矩形部分とを具備することを特徴とする請求項２記載の左右風向調整装置。
【請求項４】
前記取付用ボス部に、雌ネジが形成され、
前記取付用凹部に、前記雌ネジに螺合する雄ネジが貫通する貫通孔が形成され、
前記貫通孔を貫通したネジが前記雌ネジに螺合することによって、前記装置基板に前記左右風向板が固定されることを特徴とする請求項２または３記載の左右風向調整装置。
【請求項５】
前記取付用ボス部に、固定用突起が形成され、
前記取付用凹部に、前記固定用突起が貫通する貫通孔が形成され、
前記貫通孔を貫通した前記固定用突起の前記貫通孔から突出した範囲を塑性変形することによって、前記装置基板に前記左右風向板が固定されることを特徴とする請求項２または３記載の左右風向調整装置。
【請求項６】
前記取付用ボス部の側面に、フランジ部分が一体的に突設され、
前記取付用凹部に、挟み突起と、弾性変形自在な一対の挟み板部とが形成され、
前記一対の挟み板部が弾性変形することによって、前記フランジ部分は前記挟み突起に係止し、且つ、前記係止した後、前記一対の挟み板部が弾性復元することによって、前記フランジ部分は前記挟み突起から抜き出し不能になることを特徴とする請求項２乃至５の何れか一項に記載の左右風向調整装置。
【請求項７】
前記装置基板に、回動左右風向板を回動自在に保持する回動保持部が形成されていることを特徴とする請求項１乃至６の何れか一項に記載の左右風向調整装置。
【請求項８】
吸込口および吹出口を具備する筐体と、
該筐体内に配置され、前記吸込口から前記吹出口に至る風路を形成する送風機と、
前記風路内に設置され、冷凍サイクルの一部を形成する熱交換器と、
請求項１乃至７の何れか一項に記載の左右風向調整装置と、
を有する空気調和機の室内機。
【発明の詳細な説明】
【技術分野】
【０００１】
本発明は左右風向調整装置および空気調和機の室内機、特に、空気調和機の室内機に設置される左右風向調整装置、および左右風向調整装置が設置された空気調和機の室内機に関するものである。
【背景技術】
【０００２】
従来の、空気調和機の室内機に設置される左右風向調整装置は、室内機の吹出口に近い断面矩形状の風路に設置されるものであって、左右方向に垂直な回動中心（略上下方向）を中心にして回動する複数の左右風向板を有している。そして、複数の左右風向板を左方向に大きく回動して、正面吹きから大きく左方向に逸れた斜め吹きを冷房運転時に実行したとき、冷房空気が吹出口を形成する左側の風路側壁に衝突し、当該左側の風路側壁に結露が生じることがあった。同様に、正面吹きから大きく右方向に逸れた斜め吹きを冷房運転時に実行したとき、右側の風路側壁への着露（結露）が生じることがあった。
このため、左側の風路側壁と最も左側に位置する左右風向板との間に、正面方向または斜め右方向に空調空気（冷房空気）を案内する回動しない左右風向板と、右側の風路側壁に近い位置と最も右側に位置する左右風向板との間に、正面方向または左方向に空調空気（冷房空気）を案内する回動しない左右風向板を有する風向調整装置が開示されている（例えば、特許文献１参照）。
【先行技術文献】
【特許文献】
【０００３】
【特許文献１】実開平２−２４２３３号公報（第１頁、第３図）
【発明の概要】
【発明が解決しようとする課題】
【０００４】
特許文献１に開示された左右風向調整装置は、複数の左右回動板を左方向（または右方向）に大きく回動して斜め吹きを冷房運転時に実行しても、吹出口を形成する左側（または右側）の側壁に近い範囲の風流れは、回動しない左右風向板によって正面方向に案内されるから、冷房空気の左側（または右側）の側壁への衝突が抑えられる。このため、冷房運転時における吹出口を形成する側壁への着露を抑えることができる。
しかしながら、特許文献１に開示された左右風向調整装置は、複数の左右回動板を回動自在に支持する装置基板に、回動しない左右風向板が一体的に形成されているため、以下の問題があった。
すなわち、空気調和機の機種や容量（能力）あるいは室内機の形式等に応じて、吹出口を形成する側壁への着露の形態が相違することから、空気調和機の機種や容量（能力）あるいは室内機の形式等毎に、回動しない左右風向板の最適な向きや最適な形状（大きさ等）が異なる。そのため、装置基板の形状それ自体は同じでありながら、装置基板に比較すると各段に小さいサイズである回動しない左右風向板の形状や方向が相違するだけで、多くの種類の「回動しない左右風向板が一体的に形成されている装置基板」を製造する必要があった。このため、左右風向調整装置を新規に製造する際の費用が増すという問題点があった。
【０００５】
この発明は、上記のような課題を解決するためになされたもので、新規に製造する際の費用を低減することができる左右風向調整装置、および該左右風向調整装置を有する空気調和機の室内機を得るものである。
【課題を解決するための手段】
【０００６】
本発明に係る左右風向調整装置は、空気調和機の室内機における風路の一部を形成する長方形の板材であって、短辺側の端部に近い位置に形成された取付用凹部を具備する装置基板と、前記取付用凹部に挿入される取付用ボス部および前記取付用ボス部に一体的に形成された板状のフラップを具備する左右風向板と、を有し、前記取付用凹部に前記取付用ボス部が取り付けられていることを特徴とする。
【発明の効果】
【０００７】
本発明に係る左右風向調整装置は、装置基板と左右風向板とが別体として形成されるから、空気調和機の機種や容量（能力）あるいは室内機の形式等に応じて、左右固定板のみを最適な形状（大きさ等）に形成し、最適な方向に取り付けることが可能になる。よって、装置基板の共通化を進めることができる。すなわち、「小物」である左右固定板については、要望に応じてそれぞれの形状に対応した多種類を製造し、「大物」である装置基板については、共通化した単一形状の少種類を製造するだけで済むため、風向調整装置を新規に製造する際の費用を圧縮することができる。
【図面の簡単な説明】
【０００８】
【図１】本発明の実施の形態１に係る左右風向調整装置の空気調和機に設置された状態を示す断面図。
【図２】図１に示す左右風向調整装置の一部（装置基板）を示す斜視図。
【図３】図１に示す左右風向調整装置の一部（装置基板）を拡大して示す斜視図。
【図４】図１に示す左右風向調整装置の一部（取付用凹部）を示す断面図。
【図５】図１に示す左右風向調整装置の一部（左右風向板）を示す斜視図等。
【図６】図１に示す左右風向調整装置における左右風向板の取付用凹部への取り付け状態を示す断面図。
【図７】図１に示す左右風向調整装置における左右風向板の変形例を示す斜視図等。
【図８】図１に示す左右風向調整装置における左右風向板の変形例を示す斜視図等。
【図９】図１に示す左右風向調整装置における左右風向板の変形例を示す斜視図等。
【図１０】本発明の実施の形態２に係る左右風向調整装置を説明する左右風向板の取付用凹部への取り付け状態を示す断面図。
【図１１】本発明の実施の形態３に係る空気調和機の室内機を説明する断面図。
【図１２】図１１に示す室内機の一部（回動左右風向板）を抜き出して示す斜視図。
【図１３】図１１に示す室内機の一部（吹出口の周囲）を抜き出して示す正面図。
【図１４】図１１に示す室内機の一部（吹出口の周囲）を抜き出して拡大して示す斜視図。
【発明を実施するための形態】
【０００９】
［実施の形態１］
図１〜図９は本発明の実施の形態１に係る左右風向調整装置を説明するものであって、図１は、空気調和機に設置された状態を示す断面図、図２の（ａ）は一部（装置基板の上面）を示す斜視図、図２の（ｂ）は一部（装置基板の下面）を示す斜視図、図３の（ａ）は一部（装置基板の上面）を拡大して示す斜視図、図３の（ｂ）は一部（装置基板の下面）を拡大して示す斜視図、図４の（ａ）は一部（取付用凹部の取付用円部分）を示す断面図、図４の（ｂ）は一部（取付用凹部の取付用矩形部分）を示す断面図、図５の（ａ）は一部（左右風向板）を示す底面図、図５の（ｂ）は一部（左右風向板）を示す側面図、図５の（ｃ）は一部（左右風向板）を示す斜視図、図５の（ｄ）は一部（取付用ボス部のボス第１部分）を示す断面図、図５の（ｅ）は一部（取付用ボス部のボス第２部分）を示す断面図、図６の（ａ）は左右風向板の取付用凹部への取り付け状態（ボス第１部分）を示す断面図、図６の（ｂ）は左右風向板の取付用凹部への取り付け状態（ボス第２部分）を示す断面図、図７〜図９は左右風向板の変形例を示すものであって、（ａ）は底面図、（ｂ）は側面図、（ｃ）は斜視図である。
なお、各部材の「上下」方向とは、図１における「上下」方向に対応し、「左右」とは図１における紙面の手前および奥方向に対応している。また、各図は模式的に描かれたものであって、本発明はかかる形態に限定されるものではない。
【００１０】
（左右風向調整装置）
図１において、左右風向調整装置１０００は、装置基板１００と回動しない左右風向板２００とネジ３００とを具備している。
装置基板１００は、空気調和機の室内機３０００（これについては実施の形態３において説明する）における風路６の吹出口７に近い範囲の一部を形成する長方形の板材であって、左右風向板２００を取り付けるための取付用凹部１２０が短辺側の端部に近い位置に形成されている。また、左右風向板２００は、取付用凹部１２０に挿入される取付用ボス部２２０と、取付用ボス部２２０に一体的に形成された板状のフラップ（風案内板に同じ）２１０とを具備する。
なお、左右風向調整装置１０００は、風路６の吹出口７に近い範囲の左側の範囲を形成する左側の左右風向調整装置１０００Ｌと、風路６の吹出口７に近い範囲の右側の範囲を形成する右側の左右風向調整装置１０００Ｒと、を総称したものである。
そして、左側の左右風向調整装置１０００Ｌと右側の左右風向調整装置１０００Ｒとは、面対象の形状であるため、以下の説明において、配置を示す「左側の、右側の」や符号の小番「Ｌ、Ｒ」の記載を省略する場合がある。また、左側の左右風向調整装置１０００Ｌを構成する部位および右側の左右風向調整装置１０００Ｒを構成する部位についても、共通する内容については配置を示す「左側の、右側の」や符号の小番「Ｌ、Ｒ」の記載を省略する場合がある。
【００１１】
（装置基板）
図２において、装置基板１００は、平面部１１０と、平面部１１０の周囲に形成されたフランジ部１０１とを具備する長方形の板材であって、短辺側の端部１０２に近い位置に形成された取付用凹部１２０とを具備する（正確には、左側の装置基板１００Ｌにおいては、左側の端部１０２Ｌに近い位置に左側の取付用凹部１２０Ｌが形成され、右側の装置基板１００Ｒにおいては、右側の端部１０２Ｒに近い位置に右側の取付用凹部１２０Ｒが形成されている）。
そして、端部１０２に対向する端部１０３には、接続機構１０４（左側の装置基板１００Ｌの端部１０３Ｌに設けられた左側の接続機構１０４Ｌ（例えば、接続用凹部）と、右側の装置基板１００Ｒの端部１０３Ｒに設けられた右側の接続機構１０４Ｒ（例えば、接続用凹部））とが設けられている。
また、回動左右風向板５００（図１２参照）を回動自在に保持する回動保持部１３０が形成されている。
【００１２】
（取付用凹部）
図３および図４において、取付用凹部１２０は、取付用円部分１２１と、取付用円部分１２１に連結した取付用矩形部分１２２とを具備する。
取付用円部分１２１は、平面部１１０を貫通する円形孔１２１ａと、円形孔１２１ａの周囲に形成された円筒部１２１ｂと、円筒部１２１ｂの底を形成する底部１２１ｃと、底部１２１ｃに形成された貫通孔１２１ｄとを具備している。そして、円筒部１２１ｂには所定の幅の切欠部１２１ｅが形成されている。
取付用矩形部分１２２は、円形孔１２１ａに連続し、切欠部１２１ｅと同じ幅で、切欠部１２１ｅと同じ方向に、平面部１１０を貫通する矩形孔１２２ａと、矩形孔１２２ａの幅（切欠部１２１ｅの幅）と同じ間隔を空けて、平面部１１０に一体的に形成された一対の挟み板部１２２ｂと、を具備している。
そして、一対の挟み板部１２２ｂには、矩形孔１２２ａから離れる程、互いに近接する方向に突出する挟み斜面１２２ｃと、が一体的に形成され、挟み斜面１２２ｃの終端が、平面部１１０に平行な挟み突起（係止突起に同じ）１２２ｄになっている。このとき、一対の挟み突起１２２ｄの先端同士の距離（幅）すなわち、一対の挟み斜面１２２ｃの終端同士の距離（幅）は、矩形孔１２２ａの幅よりも狭くなっている。
【００１３】
（左右風向板）
図５において、左右風向板２００は、取付用凹部１２０に回転（回動）不能および抜け出し不能に取り付けられるものであって、板状のフラップ２１０と、フラップ２１０と一体的に形成された取付用ボス部２２０とを具備する。
取付用ボス部２２０は、取付用円部分１２１に侵入するボス第１部分２２１と、取付用矩形部分１２２に侵入するボス第２部分２２２とを具備する。
ボス第１部分２２１は、円筒状の円筒部２２１ｂと、円筒部２２１ｂのフラップ２１０が設置された面（以下「手前面」と称す）２２１ａとは反対の面（以下「奥面」と称す）２２１ｃに形成されたネジ用穴２２１ｄと、を具備している（図５の（ｄ）参照）。
そして、取付用ボス部２２０のボス第１部分２２１の側面には、板状のボス第２部分２２２が、一体的に形成されている。
ボス第２部分２２２は、断面Ｈ字状であって、フラップ２１０が設置された手前フランジ２２２ａと、手前フランジ２２２ａに対向する奥フランジ２２２ｃと、手前フランジ２２２ａと奥フランジ２２２ｃとを連結するウエッブ２２２ｂと、を具備している。
【００１４】
（左右風向板の取付用凹部への取り付け）
図６において、左右風向板２００を形成するボス第１部分２２１およびボス第２部分２２２が、取付用凹部１２０を形成する取付用円部分１２１および取付用矩形部分１２２にそれぞれ侵入している。
このとき、取付用円部分１２１の底部１２１ｃにボス第１部分２２１の奥面２２１ｃが当接し、貫通孔１２１ｄを貫通するネジ３００が、ネジ用穴２２１ｄに螺合する。
また、左右風向板２００のボス第２部分２２２は、手前フランジ２２２ａが矩形孔１２２ａを覆い、奥フランジ２２２ｃが一対の挟み板部１２２ｂに形成された挟み突起１２２ｄに係止している。
すなわち、ボス第１部分２２１およびボス第２部分２２２を取付用円部分１２１および取付用矩形部分１２２にそれぞれ侵入する際、奥フランジ２２２ｃは、挟み斜面１２２ｃに摺動して挟み斜面１２２ｃ同士の距離を拡げ、やがて、挟み斜面１２２ｃから外れて、挟み突起１２２ｄによって抜け出し不能および回転不能に挟まれる（係止する）。
【００１５】
以上のように、左右風向板２００の取付用ボス部２２０は、装置基板１００の取付用凹部１２０に侵入して、ネジ３００と、挟み突起１２２ｄによる奥フランジ２２２ｃの挟み付け（係止）とによって、抜け出し不能且つ回転不能に確実に取り付けられるから、フラップ２１０のビビリ振動が防止される。
なお、すなわち、ボス第１部分２２１およびボス第２部分２２２を取付用円部分１２１および取付用矩形部分１２２にそれぞれ侵入する際、奥フランジ２２２ｃ自体が幅が狭くなるように弾性変形しながら挟み斜面１２２ｃに摺動し、やがて、挟み斜面１２２ｃから外れて、挟み突起１２２ｄによって抜け出し不能および回転不能に挟まれる（係止する）ようにしてもよい。
【００１６】
（フラップの変形例）
次に、図７〜図９に基づいて、左右風向板の変形例を説明する。なお、前記した左右風向板２００と同じ部分にはこれと同じ符号を付し、一部の説明を省略する。
図７において、左右風向板２００ｘは、左右風向板２００におけるフラップ２１０の面積を大きくしたものである。このとき、フラップ２１０の形状が台形でない歪な四角形になっているが、本発明はかかる形状を限定するものではない。そして、取付用ボス部２２０は、機種等に応じて、フラップ２１０の面積を変更しても、取付用凹部１２０に取り付けることができる。
【００１７】
図８において、左右風向板２００ｙは、フラップ２１０と取付用ボス部２２０とが同一面内になく、フラップ２１０の方向と取付用ボス部２２０との方向が所定の角度だけ折れ曲がっている。なお、取付用ボス部２２０は左右風向板２００における取付用ボス部２２０に同じであるから、機種等に応じて、フラップ２１０の姿勢（風の案内方向）を変更しても、取付用凹部１２０に取り付けることができる。
【００１８】
図９において、左右風向板２００ｚは、フラップ２１０を湾曲した断面略円弧状にしたものである。このとき、取付用ボス部２２０は左右風向板２００における取付用ボス部２２０に同じであるから、機種等に応じて、フラップ２１０の形状（風の案内要領）を変更しても、取付用凹部１２０に取り付けることができる。なお、本発明はフラップの形状を湾曲したものに限定するものではなく、例えば、断面を翼形状にしてもよい。
【００１９】
［実施の形態２］
図１０は本発明の実施の形態２に係る左右風向調整装置を説明するものであって、（ａ）は左右風向板の取付用凹部への取り付け状態（ボス第１部分）を示す断面図、（ｂ）は左右風向板の取付用凹部への取り付け状態（ボス第２部分）を示す断面図である。なお、実施の形態１と同じ部分または相当する部分には同じ符号を付し、一部の説明を省略する。
【００２０】
（左右風向調整装置）
図１０の（ａ）において、左右風向調整装置２０００は、装置基板１００と左右風向板４００とを具備している。実施の形態１では装置基板１００に左右風向板２００が、ネジ３００を用いて固定されていたが、実施の形態２では装置基板１００に左右風向板４００を、ネジ３００を用いることなく固定するものである。以下、実施の形態１と相違する点について説明する。
【００２１】
（左右風向板）
左右風向板４００は、板状のフラップ２１０と、フラップ２１０と一体的に形成された取付用ボス部４２０とを具備する。そして、取付用ボス部４２０は、取付用円部分１２１に侵入するボス第１部分４２１と、取付用矩形部分１２２に侵入するボス第２部分２２２とを具備する。
ボス第１部分４２１は、円盤状の手前フランジ４２１ａおよび奥フランジ４２１ｃと、手前フランジ４２１ａと奥フランジ４２１ｃとを連結する円柱部４２１ｂと、奥フランジ４２１ｃに形成され、円柱部４２１ｂとは反対方向に突出する固定用突起４２１ｄとを具備している。
【００２２】
（左右風向板の取付用凹部への取り付け）
図１０の（ａ）において、取付用ボス部４２０を形成するボス第１部分４２１が、取付用凹部１２０を形成する取付用円部分１２１に侵入している（なお、ボス第２部分２２２が、取付用矩形部分１２２に侵入しているが、図示しない。図６の（ｂ）参照）。
このとき、手前フランジ４２１ａは円形孔１２１ａを塞ぎ、奥フランジ４２１ｃは底部１２１ｃ（円筒部１２１ｂの内側の面）に当接している。そして、固定用突起４２１ｄが貫通孔１２１ｄを貫通して、底部１２１ｃ（円筒部１２１ｂの外側の面）から突出している。
【００２３】
図１０の（ｂ）において、固定用突起４２１ｄの底部１２１ｃから突出した範囲が、加熱によって塑性変形され、外径が拡大され、突起拡大部４２１ｅが形成されている。したがって、左右風向調整装置２０００は、ネジ３００を用いることなく、また、取付用ボス部４２０に雌ネジを形成することなく、左右風向板４００を取付用凹部１２０に抜け出し不能に固定することが出来るから、製造コストを低減することができる。
なお、以上は、固定用突起４２１ｄが断面円形の貫通孔１２１ｄに貫通するものであるが、本発明はこれに限定するものではなく、固定用突起４２１ｄおよび貫通孔１２１ｄを断面楕円または断面矩形状にして、左右風向板４００を取付用凹部１２０に抜け出し不能且つ回転不能に固定してもよい。このとき、ボス第１部分４２１および取付用円部分１２１を、それぞれ断面楕円または断面矩形状にして、ボス第２部分２２２および取付用矩形部分１２２の形成を省略してもよい。
【００２４】
［実施の形態３］
図１１〜図１４は本発明の実施の形態３に係る空気調和機の室内機を説明するものであって、図１１は断面図、図１２は一部（回動左右風向板）を抜き出して示す斜視図、図１３は一部（吹出口の周囲）を抜き出して示す正面図、図１４は一部（吹出口の周囲）を抜き出して拡大して示す斜視図である。なお、実施の形態１と同じ部分または相当する部分には同じ符号を付し、一部の説明を省略する。
【００２５】
図１１において、空気調和機の室内機３０００は、吸込口３および吹出口７を具備する筐体１と、筐体１内に配置され、吸込口３から吹出口７に至る風路６を形成する送風機５と、風路６内に設置され、冷凍サイクル（図示しない）の一部を形成する熱交換器４と、実施の形態１において説明した左右風向調整装置１０００（正確には、左側に設置された左右風向調整装置１０００Ｌと、右側に設置された左右風向調整装置１０００Ｒ）とを有する。
前面パネル２に近い位置で熱交換器４の下方に、ドレン受け８が設けられ、ドレン受け８の下面側に、装置基板１００が設置されている。したがって、装置基板１００の平面部１１０は、調和空気の流れを案内しているから、風路６の一部を形成している。
そして、吹出口７には上下風向板９ａ、９ｂが水平方向の回動軸（図示しない）を中心にして回動自在に設置され、装置基板１００には、装置基板１００に垂直な回動軸（図示しない）を中心に回動する（所定の回動範囲内を回動して停止、または往復回動を繰り返す）回動左右風向板５００が回動自在に取り付けられている。
【００２６】
図１２において、回動左右風向板５００は、複数の板状の回動フラップ５１０と、回動フラップ５１０と一体的に形成された回動ボス部５２０とを具備し、回動ボス部５２０には回動腕部５２１および回動フランジ５２２が一体的に形成されている。
そして、複数の回動腕部５２１が、回動連結棒５３０によって連結され、回動連結棒５３０は、回動モーター５４０によって、並進される。
このとき、回動フランジ５２２が装置基板１００に形成された回動保持部１３０（図２および図３参照）に回動自在に保持され、複数の回動腕部５２１と回動連結棒５３０との接続位置が前記回動軸から離れているため、回動連結棒５３０の並進によって回動フラップ５１０は回動する。
【００２７】
図１３および図１４において、空気調和機の室内機３０００は、風路６の吹出口７に近い位置の左側に左右風向調整装置１０００Ｌが設置され、風路６の吹出口７に近い位置の右側に左右風向調整装置１０００Ｒが設置されている。そして、左側の左右風向調整装置１０００Ｌの装置基板１００Ｌには左右風向板２００Ｌおよび回動左右風向板５００Ｌが取り付けられ、右側の左右風向調整装置１０００Ｒの装置基板１００Ｒには左右風向板２００Ｒおよび回動左右風向板５００Ｒが取り付けられている。
このとき、左側の左右風向板２００Ｌのフラップ２１０Ｌは、調和空気を右方向に案内し、右側の左右風向板２００Ｒのフラップ２１０Ｒは、調和空気を左方向に案内している。すなわち、左側のフラップ２１０Ｌは、吹き出された調和空気の左側の風路側壁７Ｌへの衝突を防止し、右側のフラップ２１０Ｒは、吹き出された調和空気の右側の風路側壁７Ｒへの衝突を防止しているから、冷房運転の際、風路側壁７Ｌおよび風路側壁７Ｒへの着露が防止される。
なお、図１３および図１４では、回動左右風向板５００Ｌおよび回動左右風向板５００Ｒの回動フラップ５１０Ｌおよび回動フラップ５１０Ｒは、「正面吹き」の状態であるが、これらは回動するものであるから、例えば、回動フラップ５１０Ｌが左方向に「斜め吹き」の状態になって、調和空気を左方向に案内した場合には、左側のフラップ２１０Ｌによる風路側壁７Ｌへの着露防止効果が顕著になる。
【符号の説明】
【００２８】
１  筐体、２  前面パネル、３  吸込口、４  熱交換器、５  送風機、６  風路、７  吹出口、７Ｌ  風路側壁、７Ｒ  風路側壁、８  ドレン受け、９ａ  上下風向板、９ｂ  上下風向板、１００  装置基板、１０１  フランジ部、１０２  端部、１０３  端部、１０４  接続機構、１１０  平面部、１２０  取付用凹部、１２１  取付用円部分、１２１ａ  円形孔、１２１ｂ  円筒部、１２１ｃ  底部、１２１ｄ  貫通孔、１２１ｅ  切欠部、１２２  取付用矩形部分、１２２ａ  矩形孔、１２２ｂ  挟み板部、１２２ｃ  挟み斜面、１２２ｄ  挟み突起、１３０  回動保持部、２００  左右風向板、２００ｘ  左右風向板、２００ｙ  左右風向板、２００ｚ  左右風向板、２１０  フラップ、２２０  取付用ボス部、２２１  ボス第１部分、２２１ａ  手前面、２２１ｂ  円筒部、２２１ｃ  奥面、２２１ｄ  ネジ用穴、２２２  ボス第２部分、２２２ａ  手前フランジ、２２２ｂ  ウエッブ、２２２ｃ  奥フランジ、３００  ネジ、４００  左右風向板、４２０  取付用ボス部、４２１  ボス第１部分、４２１ａ  手前フランジ、４２１ｂ  円柱部、４２１ｃ  奥フランジ、４２１ｄ  固定用突起、４２１ｅ  突起拡大部、５００  回動左右風向板、５１０  回動フラップ、５２０  回動ボス部、５２１  回動腕部、５２２  回動フランジ、５３０  回動連結棒、５４０  回動モーター、１０００  左右風向調整装置、２０００  左右風向調整装置、３０００  空気調和機の室内機。
【図１】
2014020742.tif 000003
【図２】
2014020742.tif 000004
【図３】
2014020742.tif 000005
【図４】
2014020742.tif 000006
【図５】
2014020742.tif 000007
【図６】
2014020742.tif 000008
【図７】
2014020742.tif 000009
【図８】
2014020742.tif 000010
【図９】
2014020742.tif 000011
【図１０】
2014020742.tif 000012
【図１１】
2014020742.tif 000013
【図１２】
2014020742.tif 000014
【図１３】
2014020742.tif 000015
【図１４】
2014020742.tif 000016